(57)【要約】
【課題】　火災を発見した場合に直ちに消火作業に取りかかり消化後は消化液の噴出を停止することのできるスプリンクラー装置を提供する。
【解決手段】　本考案に係わるスプリンクラー装置は、消火剤１１が充填された圧力タンク９から導出された導出管１３と室内に設置されたスプリンクラーヘッド１５とを連通する管路１４にオンオフ切り替え型の電磁弁を設け、この管路の途中から分岐された分岐管１８に消火ホース１９を設け、消火ホース１９による消火が可能とされている。
【選択図】　図２
0003099563.tif 000002
【実用新案登録請求の範囲】
【請求項１】
消火剤が充填された圧力タンクから導出された導出管と室内に設置されたスプリンクラーヘッドとを連通する管路に、オンオフ切り替え形の電磁弁を設け、さらに管路の途中から分岐された分岐管に消火ホースを設け、該消火ホースによる消火が可能とされているスプリンクラー装置。
【請求項２】
前記電磁弁は、屋内および／または屋外に設けたスイッチにより開閉操作する請求項１に記載のスプリンクラー装置。
【請求項３】
前記管路の途中に流圧変化によりオンオフするフロースイッチが設けられ、該フロースイッチがオンすることにより火災警報装置が作動されることを特徴とする請求項１に記載のスプリンクラー装置。
【請求項４】
前記スプリンクラーヘッドの設置室に前記消火ホースが設けられている請求項１に記載のスプリンクラー装置。
【請求項５】
前記消火ホースが他の室内に較べて火災発生確率が高いと予想される室内に設けられている請求項３に記載のスプリンクラー装置。
【考案の詳細な説明】
【技術分野】
【０００１】
　本考案は、室内不在時に火災が発生した時に自動的に消火剤を噴出させて消火を行うスプリンクラー装置に関する。
【背景技術】
【０００２】
　従来から、消火剤が充填された圧力タンクから導出管を引出し、室内に設置されたスプリンクラーヘッドに連通する管路をその導出管に接続し、この導出管の上部に消火剤の流出に基づき警報を発生する警報装置を設け、大事に至る前に火災の発生を報知するようにしたスプリンクラー装置が知られている。
【０００３】
　ところで、この従来のスプリンクラー装置は、室内の温度が所定以上に高まると、スプリンクラーヘッドが作動してそのスプリンクラーヘッドから消火剤が噴出されて自動的に消火が行われる構成であり、スプリンクラーヘッドが作動する温度にまで室内温度が上昇しないと消火剤が噴出されないので、火災の発生からスプリンクラーヘッドの作動までに時間がかかり、この間に火災を発見したとしてもそのスプリンクラー装置を用いて消火作業を行うことができず、室内に不在時に火災が発生した時に有効なスプリンクラー装置には、室内に在室時に火災が発生した場合には余り役に立たないという弱点がある。
【０００４】
　各室内毎に、スプリンクラーヘッドとハンディタイプの消火ボンベとを設置すれば、スプリンクラー装置の弱点を解消することはできるが、消火ボンベを各室内毎に準備するのはコストがかかり、特に、スプリンクラー装置を家庭に設けた場合について考えると、このスプリンクラー装置とハンディタイプの消火ボンベとを二重に設けるのは負担がかかり過ぎる。
【特許文献１】実公昭５５−３０５１７号公報
【考案の開示】
【考案が解決しようとする課題】
【０００５】
　本考案は、上記の事情に鑑みて為されたもので、その目的とするところは、火災を発見した場合に直ちに消火作業に取りかかることのできるスプリンクラー装置を提供することにある。
【課題を解決するための手段】
【０００６】
　請求項１に記載のスプリンクラー装置は、消火剤が充填された圧力タンクから導出された導出管と室内に設置されたスプリンクラーヘッドとを連通する管路に、オンオフ切り替え形の電磁弁を設け、さらに管路の途中から分岐された分岐管に消火ホースを設け、この消火ホースによる消火が可能とされている。
【０００７】
　この構成によれば、火災が発生した場合、消火ホースを用いて火元に消火剤を噴出させて消火作業を行うことができ、火災が大きくならないうちに消火できるだけでなく、請求項２に記載のスプリンクラー装置と相俟って鎮火したら直ちに火災個所から離隔したスイッチで消化剤の噴出を停止させることができる。
【０００８】
　請求項３に記載のスプリンクラー装置は、前記管路の途中に流圧変化によりオンオフするフロースイッチが設けられ、該フロースイッチがオンすることにより火災警報装置が作動されることを特徴とする。
【０００９】
　この構成によれば、スプリンクラーヘッドによる消火、消火ホースによる消火の際に、火災の発生を確実に周囲に報知でき、完全消火作業に貢献可能である。
　請求項４に記載のスプリンクラー装置は、前記スプリンクラーヘッドの設置室に前記消火ホースが設けられていることを特徴とする。
【００１０】
　この構成によれば、スプリンクラー設置室内に火災が発生した場合、スプリンクラーヘッドの作動を待つことなく消火ホースを用いて消火作業を行うことができる。
　請求項５に記載のスプリンクラー装置は、前記消火ホースが他の室内に較べて火災発生確率が高いと予想される室内、例えば台所に設けられている。
【００１１】
　この構成によれば、消火ホースを各室内に設けなくとも良いので、いたずらにコストが上昇するのを避けることができる。
【考案の効果】
【００１２】
　請求項１と請求項２に記載のスプリンクラー装置によれば、火災が発生した場合、消火ホースを用いて火元に直接消火剤を噴出させて消火作業を行うことができ、火災が大きくならないうちに消火し、さらに鎮火後に直ちに電磁弁の操作で消化液の噴出を停止して、水液による二次的にな建物、家具等の損傷を回避できる。また、火災を発見した場合に、スプリンクラー装置を用いて消火作業を直ちに行うことができることになって便利である。
【００１３】
　請求項３に記載のスプリンクラー装置によれば、スプリンクラーヘッドによる消火、消火ホースによる消火の際に、火災の発生を確実に周囲に報知できる。
　請求項４に記載のスプリンクラー装置によれば、スプリンクラー設置室に火災が発生した場合、スプリンクラーヘッドの作動を待つことなく消火ホースを用いて消火作業を行うことができる。
【００１４】
　請求項５に記載のスプリンクラー装置によれば、消火ホースを各室内に設けなくとも良いので、いたずらにコストが上昇するのを避けることができる。
【考案を実施するための最良の形態】
【００１５】
　図１は本考案に係わるスプリンクラー装置の配管系統を示し、ここでは、スプリンクラー装置は家庭用の家屋に用いられるものとして説明する。
　その図１において、１は建物または家屋であり、この家屋２はここでは例えば２階建てであり、１階には部屋３、４、５があり、２階には部屋６、７、８があるものとし、部屋５は居間兼用の台所として説明する。
【００１６】
　家屋１の屋外の安全と思われる箇所に、スプリンクラー装置の一部を構成する圧力ボンベ９が設けられている。この圧力ボンベ９内には、図２に示すように、圧力ガス注入コック１０から消火剤１１が注入されて充填されている。１２は圧力計である。消火剤１１の成分は、例えば炭酸カリウムが重量比で５０％、染料が重量比で若干％であり、残りは水である。
【００１７】
　この圧力ボンベ９から導出管１３が引き出されている。導出管１３は全開、全閉のオンオフ切り替え形の電磁弁１３Ｂを介してまたはこれと近接して併設したコック１３Ｂ′を介して配管１４に接続され、配管１４は図１に示すように各部屋の天井に引き回されて、配管１４の途中又は末端にスプリンクラーヘッド１５が設けられている。ここでは、このスプリンクラーヘッド１５は部屋４、５、６、８の天井に設けられている。電磁弁１３Ｂは屋外、屋内の適宜の部所に設置した通常用いられるスイッチ（図示されていない）により開閉を隔離操作することができるから、圧力ボンベ９からの消化剤の散液で発火個所が消化した時は直ちに電磁弁１３Ｂを閉じて消化剤の余分な噴出を停止し、これにより消化液が階下、床面、家具に消化後も漏出して発火個所周辺への損傷を拡大させるのを回避することができる。電磁弁１３Ｂの開閉操作が電気系統の何らかの支障で不確実になった場合、これに近接して設けた手動操作の切り替えコック（１３Ｂ′）により確実に管路１３Ａを閉じることもできる。
【００１８】
　導出管１３の上部１３Ａには流圧変化によりオンオフするフロースイッチ１６が設けられている。このフロースイッチ１６は圧力ボンベ９からの消火剤１１の流出と同時に屋外に設けられた火災警報装置１７をオンし、これにより火災が報知されるようになっている。この火災警報装置１７には蓄電式のものが用いられ、手動操作によってオフされない限り、警報を発し続けるものとされている。
【００１９】
　スプリンクラーヘッド１５はそれが設置されている室内の温度が所定以上となったときにこれを感知することにより作動して、消火剤１１をその室内に噴出するようにされている。
【００２０】
　配管１４の途中には分岐管１８が設けられ、分岐管１８は部屋５に引き込まれており、分岐管１８には消火ホース１９が接続されている。この消火ホース１９はホース収納箱２０に整然と収納されている。ここでは、この消火ホース１９は部屋５、すなわち、他の室内に較べて火災発生確率が高いと予想される台所兼用の居間にのみ設けられている。
【００２１】
　分岐管１８と消火ホース１９との接続部には切り替えコック２１が設けられ、この切り替えコック２１をひねることによりスプリンクラーヘッド１５による消火から消火ホース１９を用いての消火に切り替えることができる。消火ホース１９の先端にはノズル２２が設けられ、切り替えコック２１をスプリンクラーヘッド１５による消火から消火ホース１９を用いての消火に切り替えると、ノズル２２から消火剤１１が噴出される。
【００２２】
　この構成による場合、例えば、人がそのスプリンクラーヘッド１５を設置の部屋５にいないときに、火災が発生してその室内の温度が上昇すると、スプリンクラーヘッド１５がこれを感知して作動し、圧力ボンベ９からそのスプリンクラーヘッド１５に消火剤１１が圧送され、消火剤１１がこのスプリンクラーヘッド１５からその部屋５に噴出され、自動的に消火が行われる。また、その際、火災警報装置１７が火災を報知するので、別の部屋に人がいるときには、この火災を警報により知ることができるので、直ちに消火作業に従事でき、火災が広がらないうちに消火が可能である。火災警報装置１７は蓄電式であるので、停電時でも作動し、火災を確実に報知可能である。
【００２３】
　部屋５に人がいる場合には、火災発生と同時にホース収納箱２０から消火ホース１９を引出し、切り替えコック２１をひねることにより、消火剤１１をノズル２２から火元に向けて噴出させることができ、従って、スプリンクラーヘッド１５の作動を待つことなくスプリンクラー装置を用いて消火作業を行うことができる。また、この場合にも、火災警報装置１７が警報を発生する。
【００２４】
　以上、ここでは、スプリンクラー装置を家庭用の家屋１に配設したものとして説明したが、本考案はこれに限るものではなく、例えば、ビル等の建造物のオフィスにも適用できるものである。また、スプリンクラーヘッド１５の取り付け箇所も天井に限るものではない。
【図面の簡単な説明】
【００２５】
【図１】本考案に係わるスプリンクラー装置を家屋に適用した例を示す図である。
【図２】本考案に係わるスプリンクラー装置の要部を拡大して示した模式図である。
【符号の説明】
【００２６】
９…圧力タンク
１１…消火剤
１３…導出管
１４…配管（管路）
１５…スプリンクラーヘッド
１８…分岐管
１９…消火ホース
【図１】
0003099563.tif 000003
【図２】
0003099563.tif 000004